(57)【要約】【課題】使い勝手が良く、しかも多人数の集まりにも対処可能なダイニングテーブルを提供すること。【解決手段】ベンチ付ダイニングテーブル１は、上面１２及び下面１３を有する平板で形成された天板１１、並びに天板１１の下面１３に取り付けられた４本の脚１４、を有するダイニングテーブル１０と、横長の座面板２１、及び当該座面板２１を所定の高さに支持する４本の脚２２を有するベンチ２０と、天板１１の下面１３に設けられ、座面板２１を天板１１の下面に沿ってスライド移動させることにより、天板１１の下にベンチ２０を吊り下げ状態で係止するための係止具３０とを含む。【効果】使い勝手が良く、家族団欒の場としてのダイニングテーブルを提供することができる。また、家族構成や年齢や人数等に応じ、必要なときにベンチを取り出して使用することができ、多人数に対しても対応可能なダイニングテーブルを提供することができる。【選択図】図１
2017185087.tif 000002
【特許請求の範囲】
【請求項１】
上面及び下面を有する平板で形成された天板、並びに前記天板の下面に取り付けられた４本の脚、を有するダイニングテーブルと、
横長の座面、及び当該座面を所定の高さに支持する４本の脚を有するベンチと、
前記天板の下面に設けられ、前記座面を前記天板の下面に沿ってスライド移動させることにより、前記天板の下に前記ベンチを吊り下げ状態で係止するための係止具と、を含むことを特徴とする、ベンチ付ダイニングテーブル。
【請求項２】
前記係止具は、前記座面の長手方向両端縁を係止するための一対のＬ型係止具を含むことを特徴とする、請求項１に記載のベンチ付ダイニングテーブル。
【発明の詳細な説明】
【技術分野】
【０００１】
この発明は、ベンチ付ダイニングテーブルに関する。
【背景技術】
【０００２】
ダイニングテーブルは、家族が集まって食事をとるテーブルとして、広く普及している。
かかるダイニングテーブルに、ベンチ（長椅子）を組み合わせたテーブルセットの一例が、特許文献１に開示されている。
【先行技術文献】
【特許文献】
【０００３】
【特許文献１】特開２００９−１７２１５９号公報
【発明の概要】
【発明が解決しようとする課題】
【０００４】
ダイニングテーブルは、家族生活において中心的存在の家具であり、家族それぞれの年齢、好み、使い方に応えられる豊富なアイテム構成であることが望まれる。
この発明は、このような背景のもとに開発されたもので、使い勝手が良く、しかも多人数の集まりにも対処可能なダイニングテーブルを提供することを主たる目的とする。
【課題を解決するための手段】
【０００５】
この発明は、ダイニングテーブルと、ダイニングテーブルを利用する際に腰掛けるベンチとを有する新規なベンチ付ダイニングテーブルを提供するものである。ダイニングテーブルの天板下面には、ベンチを使用しないときに、ベンチを吊り下げられる係止具が備えられている。
具体的な構成としては、請求項記載の通りの下記の内容である。
【０００６】
請求項１記載の発明は、上面及び下面を有する平板で形成された天板、並びに前記天板の下面に取り付けられた４本の脚、を有するダイニングテーブルと、横長の座面、及び当該座面を所定の高さに支持する４本の脚を有するベンチと、前記天板の下面に設けられ、前記座面を前記天板の下面に沿ってスライド移動させることにより、前記天板の下に前記ベンチを吊り下げ状態で係止するための係止具と、を含むことを特徴とする、ベンチ付ダイニングテーブルである。
【０００７】
請求項２記載の発明は、前記係止具は、前記座面の長手方向両端縁を係止するための一対のＬ型係止具を含むことを特徴とする、請求項１に記載のベンチ付ダイニングテーブルである。
【発明の効果】
【０００８】
この発明によれば、使い勝手が良く、家族団欒の場としてのダイニングテーブルを提供することができる。また、家族構成や年齢や人数等に応じ、必要なときにベンチを取り出して使用することができ、多人数に対しても対応可能なダイニングテーブルを提供することができる。
また、ベンチを使用しない場合は、ダイニングテーブルの天板下面にベンチを収容でき、使い勝手の良いダイニングテーブルを提供できる。
【図面の簡単な説明】
【０００９】
【図１】図１は、この発明の一実施形態に係るベンチ付ダイニングテーブルの正面図である。
【図２】図２は、この発明の一実施形態に係るベンチ付ダイニングテーブルの右側面図である。
【図３】図３は、この発明の一実施形態に係るベンチ付ダイニングテーブルのダイニングテーブル単体の底面図である。
【図４】図４は、この発明の一実施形態に係るベンチ付ダイニングテーブルの斜視図であり、ダイニングテーブルに対しベンチを収納する様子を示す図である。
【図５】図５は、この発明の一実施形態に係るベンチ付ダイニングテーブルの使用態様の一例を示す斜視図であり、ベンチを使用している状態の図である。
【図６】図６は、この発明の一実施形態に係るベンチ付ダイニングテーブルの使用態様の一例を示す図であり、ベンチを収容した状態（ベンチを使用していない状態）の図である。
【図７】図７は、この発明の他の実施形態に係るベンチ付ダイニングテーブルの斜視図である。
【図８】図８は、この発明のさらに他の実施形態に係るベンチ付ダイニングテーブル１の構成を示す図解図である。
【発明を実施するための形態】
【００１０】
以下には、図面を参照して、この発明の実施形態について具体的に説明をする。
図１は、この発明の一実施形態に係るベンチ付ダイニングテーブル１の正面図であり、図２は、当該ベンチ付ダイニングテーブル１の右側面図である。さらに、図３は、ダイニングテーブル１０単体の底面図である。
図１〜図３を参照して説明すると、ベンチ付ダイニングテーブル１は、ダイニングテーブル１０と、このダイニングテーブル１０を利用する際に腰掛けるためのベンチ２０とを有している。
【００１１】
ダイニングテーブル１０は、平板で形成された天板１１を有する。天板１１は、上面１２および下面１３を有している。天板１１の下面１３には、その四隅に４本の脚１４が取り付けられている。
ベンチ２０は、横長の座面板２１と、座面板２１を所定の高さに支持するための４本の脚２２とを有している。座面板２１は、平面視が長方形状をしており、その長方形状の下面四隅に脚２２が取り付けられている。座面板２１の下面において、脚２２の取り付けを補強するための補助板２３，２４が備えられていてもよい。
【００１２】
さらに、ベンチ２０は、座面板２１に対して、脚２２が折り畳み可能な構成になっていてもよい。
座面板２１は、座面の長手方向に延びる両端縁２５が、下方に向いた長手の受け面を構成している。
ダイニングテーブル１０の天板１１の下面１３には、一対の係止具３０が設けられている。一対の係止具３０は、それぞれ、側面視が対称形状をなす略Ｌ字形をしている。一対の係止具３０間にベンチ２０の座面板２１を係止できるように構成されている。係止具３０は、天板１１の下面において、天板１１の長手方向に沿って配置されている。また、一対の係止具３０は、その配置間隔が座面板２１の幅とほぼ等しくされている。さらに、一対の係止具３０は、その長さが、ベンチ２０の座面板２１の長さの半分＋αとされていて、ベンチ２０を係止し易く、しかも係止したベンチが天板１１に対してがたつかない長さとされている。
【００１３】
また、係止具３０は、座面板２１の両端縁２５と対向面に、起毛布、羅紗布、厚手の不織布等の、摺動性が良く、表面に弾力があって凹凸を吸収するような当て布が貼着されているのが望ましい。
係止具３０の長さは、ベンチ２０の座面板２１の長さの５０％以上で、かつ、６０％以下が好ましい。
【００１４】
また、天板１１の下面１３には、一対の係止具３０に対してベンチ２０を係止させる際に、ベンチ２０の挿入側先端部を所定の位置で停止させるためのストッパ部材３１が備えられていてもよい。
他の実施形態として、ストッパ部材３１を設けず、係止具３０と座面板２１の両端縁２５とが、互いに所定の押圧力および摩擦力で係合し、係止具３０で係止された座面板２１が所定の位置でずれない状態で保持される構成としてもよい。あるいは、保持状態において、座面板２１の上面と天板１１の下面１３とが所定の摩擦力で当接し、天板１１に対してベンチ２０がずれないように保持される構成としてもよい。
【００１５】
図４は、ダイニングテーブル１０に対してベンチ２０を収容する様子を示す斜視図である。図４に示すように、ダイニングテーブル１０の長さ方向一端側からベンチ２０を天板１１の下面に沿ってスライドさせるようにして、天板１１の下に収容する。その際、ベンチ２０の座面板２１の両端縁２５が係止具３０に受け取められて、受け取められた状態でベンチ２０をスライドさせることができる。よって、ベンチ２０は容易にダイニングテーブル１０の天板１１下方に収容することができる。そして収容されたベンチ２０は、天板１１の下面に吊り下げられて保持される。このため、ベンチ２０の脚２２は、ダイニングテーブル１０の天板１１下に隠れ、しかも脚２２がダイニングテーブル１０を使用する際に、邪魔にならない。
【００１６】
図５は、ベンチ２０をダイニングテーブル１０から取り外して使用する状態の一例を示す斜視図である。図５に示すように、ダイニングテーブル１０は、通常の椅子およびダイニングテーブル１０から取り外したベンチ２０を利用して用いることができる。これにより、たとえば４名でダイニングテーブル１０を有効に利用することができる。
また、図６に示すように、少人数でダイニングテーブル１０を使用する場合には、ダイニングテーブル１０の天板１１下にベンチ２０を収容した状態で、椅子を利用してダイニングテーブル１０を利用することができる。
【００１７】
従って、家族の人数等に合わせて使い勝手の良いベンチ付ダイニングテーブル１を提供できる。
図７は、ベンチ付ダイニングテーブル１の他の実施形態を示す図である。ダイニングテーブル１０は、その天板の形状が、平面視で長方形状に限られるものではない。図７に示すように、天板の形状が、平面視で変形半円形のような形状をした天板であってもよい。要は、任意の形状の天板のダイニングテーブル１０に対して、この発明を適用することが可能である。
【００１８】
任意の形状、たとえば少なくとも長手の一辺を備えた平面形状の天板であれば、この発明の一実施形態として構成することが可能である。
図８は、この発明のさらに他の実施形態に係るベンチ付ダイニングテーブル１の構成を示す図解図である。図８に示すように、天板１１の下面に設けられる一対の係止具３０は、ベンチ２０の短縁を両側から挟むように保持する構成とすることもできる。
【００１９】
この発明は、以上説明した実施形態に限定されるものではなく、ダイニングテーブルの形態や、ベンチの形態は、必要に応じて公知の技術を適用することによって変更することが可能である。
【符号の説明】
【００２０】
１    ベンチ付ダイニングテーブル
１０    ダイニングテーブル
１１    天板
１２    上面
１３    下面
１４    脚
２０    ベンチ
２１    座面板
２２    脚
２５    両端縁
３０    係止具
【図１】
2017185087.tif 000003
【図２】
2017185087.tif 000004
【図３】
2017185087.tif 000005
【図４】
2017185087.tif 000006
【図５】
2017185087.tif 000007
【図６】
2017185087.tif 000008
【図７】
2017185087.tif 000009
【図８】
2017185087.tif 000010